(57)【要約】照明装置において輝度ムラを防ぐことを目的とする。本発明に係るバックライト装置１２は、光源であるＬＥＤ１７と、ＬＥＤ１７に対して光出射側とは反対側に配される底板１４ａを有するとともにＬＥＤ１７を収容するシャーシ１４と、底板１４ａに対して間隔を空けて光出射側に配される光学部材１５と、底板１４ａ側から光出射側に向けて突出するとともに光学部材１５を支持可能な支持部２３と、底板１４ａと光学部材１５との間に配されるとともに支持部２３を通す支持部挿通孔２１ｂを有していて光を反射させる反射部材である反射シート２１とを備え、反射シート２１は、支持部挿通孔２１ｂの縁部にスリット２８を入れることで形成される片部２９を有している。
2011080979.tif 000002
【特許請求の範囲】
【請求項１】
光源と、
前記光源に対して光出射側とは反対側に配される底板を有するとともに前記光源を収容するシャーシと、
前記底板に対して間隔を空けて前記光出射側に配される光学部材と、
前記底板側から前記光出射側に向けて突出するとともに前記光学部材を支持可能な支持部と、
前記底板と前記光学部材との間に配されるとともに前記支持部を通す支持部挿通孔を有していて光を反射させる反射部材とを備え、
前記反射部材は、前記支持部挿通孔の縁部にスリットを入れることで形成される片部を有している照明装置。
【請求項２】
前記片部は、前記支持部挿通孔の縁部に前記スリットを複数入れることで複数形成されている請求項１記載の照明装置。
【請求項３】
前記片部は、前記支持部挿通孔の縁部に前記スリットを、前記支持部を中心にして放射状に少なくとも３本配することで、少なくとも３つ、片持ち状に形成されている請求項２記載の照明装置。
【請求項４】
少なくとも３つの前記片部は、前記支持部挿通孔の縁部に少なくとも３本の前記スリットを略等角度間隔に配することで形成されている請求項３記載の照明装置。
【請求項５】
前記支持部は、前記底板と前記反射部材との間に介在する基部から前記光出射側に向けて突出する形態とされており、前記片部は、前記基部に乗り上げる形で配されている請求項３または請求項４記載の照明装置。
【請求項６】
前記光源は、前記底板に沿って複数並列して配されるのに対し、前記支持部は、隣り合う前記光源の間に配されており、前記片部は、その外面が隣り合う前記光源を指向する形で配されている請求項５記載の照明装置。
【請求項７】
前記光源は、前記底板に沿って複数ずつ行列状に並列して配されているのに対し、前記支持部は、前記光源の行方向及び前記光源の列方向の双方と交差する方向について隣り合う前記光源の間に配されている請求項６記載の照明装置。
【請求項８】
前記片部は、前記支持部挿通孔の縁部に前記スリットを４本入れることで、前記支持部に対して隣り合う４つの前記光源をそれぞれ指向するよう４つ形成されている請求項７記載の照明装置。
【請求項９】
前記支持部は、前記行方向及び前記列方向の双方と交差する方向について隣り合う前記光源間の中央位置に配されている請求項８記載の照明装置。
【請求項１０】
少なくとも３つの前記片部は、少なくとも３本の前記スリットの深さを同一とすることで、その外面が隣り合う前記光源に対して正対するものとされる請求項６から請求項９のいずれか１項に記載の照明装置。
【請求項１１】
前記片部は、前記スリットを前記基部の外端を超える深さとすることで平面に視て前記基部よりも広範囲にわたって配されている請求項５から請求項１０のいずれか１項に記載の照明装置。
【請求項１２】
前記支持部及び前記基部は、共に表面が白色を呈するものとされる請求項５から請求項１１のいずれか１項に記載の照明装置。
【請求項１３】
前記底板には、取付孔が形成されているのに対し、前記基部には、前記取付孔に挿入されてその縁部に係止する固定部が設けられている請求項５から請求項１２のいずれか１項に記載の照明装置。
【請求項１４】
前記スリットは、前記支持部挿通孔の縁部において前記支持部を挟んだ位置に２つ形成されるとともに、その一端側がそれぞれ前記支持部挿通孔内に開口するのに対し、他端側がそれぞれ２つずつに分岐することで、前記片部が２つ形成されている請求項２記載の照明装置。
【請求項１５】
前記スリットは、前記支持部挿通孔の縁部において前記支持部を挟んだ位置に２つ形成されるとともに、その一端側がそれぞれ前記支持部挿通孔内に開口するのに対し、他端側がそれぞれ折り返し状に屈曲してから２つずつに分岐することで、鉤型をなす前記片部が２つ形成されている請求項２記載の照明装置。
【請求項１６】
前記スリットは、平面に視て凹型をなす前記片部と、凸型をなす前記片部とが互いに凹凸嵌合した形となるよう形成されており、前記スリットのうち両片部の凹凸嵌合部分を縁取る門形部分が前記支持部挿通孔を構成している請求項１記載の照明装置。
【請求項１７】
前記スリットが渦巻き型の曲線状に形成されることで、前記片部が前記支持部を取り囲む形で１つ形成されている請求項１記載の照明装置。
【請求項１８】
前記光源は、前記底板と前記反射部材との間に介在する光源基板に実装されており、前記反射部材には、前記光源を通す光源挿通孔が形成されている請求項１から請求項１７のいずれか１項に記載の照明装置。
【請求項１９】
前記光源基板は、表面が白色を呈するものとされる請求項１８記載の照明装置。
【請求項２０】
前記光源は、ＬＥＤからなる請求項１から請求項１９のいずれか１項に記載の照明装置。
【請求項２１】
前記ＬＥＤに対する前記光出射側には、前記ＬＥＤからの光を拡散させつつ出射させる拡散レンズが配されている請求項１から請求項２０のいずれか１項に記載の照明装置。
【請求項２２】
請求項１から請求項２１のいずれか１項に記載の照明装置と、前記照明装置からの光を利用して表示を行う表示パネルとを備える表示装置。
【請求項２３】
前記表示パネルは、一対の基板間に液晶を封入してなる液晶パネルとされる請求項２２記載の表示装置。
【請求項２４】
請求項２２または請求項２３に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、シャーシの内面に沿って配されて光をシャーシの開口部側に反射させる反射シートと、シャーシの開口部に配されて光源が発する光を効率的に液晶パネル側へ放出させるための光学部材（拡散シート等）とを備える。【０００３】
上記した構成のバックライト装置において低消費電力化などを図るため、光源としてＬＥＤを用いる場合があり、その一例として下記特許文献１に記載されたものが知られている。このものは、シャーシの底板に沿って複数のＬＥＤを平面配置する一方、底板には、光学部材を支持する支持ピンを有する支持部材が取り付けられており、それによりＬＥＤと光学部材との位置関係を一定に維持するようにしている。
【先行技術文献】
【特許文献】
【０００４】
【特許文献１】特開２００８−１５２１０１号公報
【０００５】
（発明が解決しようとする課題）
ところで、上記した特許文献１に記載のものでは、支持部材を構成する基部とシャーシの底板との間に反射シートが介在する構成とされているため、支持部材における支持ピン及び基部が共に反射シートの表側に露出している。支持部材は、反射シートに比べると表面の光反射率に劣るものとされるため、その大部分である支持ピン及び基部が表側に露出すると暗部として視認され易くなり、輝度ムラの原因となるおそれがある。【０００６】
このような問題を解決すべく、本願発明者は、次のような構成を提案している。すなわち、反射シートを支持部材における基部上に被せるような配置とし、反射シートには、支持ピンを通すための支持ピン挿通孔を形成するのである。これにより、基部の大部分が反射シートにより覆われて表側に露出することが避けられるから、支持部材が暗部として視認され難くすることができる。【０００７】
しかしながら、上記のように反射シートに支持ピン挿通孔を形成すると、今度は次の問題が生じることが懸念される。すなわち、ＬＥＤの点灯及び消灯に伴いバックライト装置内の温度環境が変化すると、反射シートには熱膨張または熱収縮が生じ、それに伴って伸縮することがある。ところが、反射シートにおける支持ピン挿通孔の縁部が支持ピンに当たっていると、そこで反射シートの伸縮が規制されるため、反射シートに撓みやしわが生じるおそれがある。そうなると、反射シートによって反射された光にムラが生じ、結果として出射光に輝度ムラが生じるおそれがあった。
これを回避するには、支持ピン挿通孔の大きさについて、熱膨張または熱収縮に伴う反射シートの伸縮量を見越した十分なものとすることが考えられるものの、そうすると支持部材における基部の露出面積が大きくなってしまうため、支持部材が暗部として視認され易くなって本来の目的を達成できなくなってしまう。
【発明の概要】
【０００８】
本発明は上記のような事情に基づいて完成されたものであって、輝度ムラを防ぐことを目的とする。
【０００９】
（課題を解決するための手段）
本発明の照明装置は、光源と、前記光源に対して光出射側とは反対側に配される底板を有するとともに前記光源を収容するシャーシと、前記底板に対して間隔を空けて前記光出射側に配される光学部材と、前記底板側から前記光出射側に向けて突出するとともに前記光学部材を支持可能な支持部と、前記底板と前記光学部材との間に配されるとともに前記支持部を通す支持部挿通孔を有していて光を反射させる反射部材とを備え、前記反射部材は、前記支持部挿通孔の縁部にスリットを入れることで形成される片部を有している。
【００１０】
このようにすれば、シャーシの底板に対して間隔を空けて光出射側に配される光学部材は、底板側から光出射側に向けて突出する支持部により支持されることで、光源との位置関係が一定に維持されるようになっている。光源から発せられた光は、底板と光学部材との間に配される反射部材により反射されるなどして光学部材に対して供給され、光学部材を透過されてから外部へと出射される。
【００１１】
ところで、支持部は、反射部材に形成された支持部挿通孔に通された状態とされる。このため、反射部材は、支持部に対して支持部挿通孔の縁部が当たることで熱膨張または熱収縮に伴う伸縮が規制される、といった事態が生じるのが懸念される。その点、本発明では、反射部材における支持部挿通孔の縁部には、スリットを入れることで片部が形成されているから、反射部材に熱膨張または熱収縮が生じた場合でも支持部に当たった片部が変形したり、または支持部がスリット内に入ることで、反射部材が伸縮するのを許容することができる。これにより、反射部材にしわや撓みが生じ難くなるので、反射部材によって反射された光にもムラが生じ難くなり、結果として出射光にも輝度ムラが生じ難くなる。
【００１２】
また、仮に支持部挿通孔の大きさについて、熱膨張及び熱収縮に伴う反射部材の伸縮量を見越した十分なものとした場合に比べると、スリット及び片部を形成することで支持部挿通孔の大きさ、つまり反射部材における開口面積を極力小さなものとすることができるので、輝度ムラの抑制に一層好適となる。
【００１３】
本発明の実施態様として、次の構成が好ましい。
（１）前記片部は、前記支持部挿通孔の縁部に前記スリットを複数入れることで複数形成されている。このようにすれば、支持部挿通孔の縁部における変形の自由度をより高くすることができるので、熱膨張または熱収縮に伴う反射部材の伸縮をより積極的に許容することができる。これにより、輝度ムラをより好適に抑制することができる。
【００１４】
（２）前記片部は、前記支持部挿通孔の縁部に前記スリットを、前記支持部を中心にして放射状に少なくとも３本配することで、少なくとも３つ、片持ち状に形成されている。このようにすれば、スリットを、支持部を中心にして放射状に少なくとも３本配することで、支持部挿通孔の縁部が少なくとも３つの片持ち状の片部に分割されることになり、各片部が支持部を全周にわたって取り囲む形で配される。これにより、反射部材が支持部に対して底板に沿う全方位に変位するのが許容され、もって反射部材に熱膨張または熱収縮が生じた場合に撓みやしわがより生じ難くなって輝度ムラの抑制に好適となる。
【００１５】
（３）少なくとも３つの前記片部は、前記支持部挿通孔の縁部に少なくとも３本の前記スリットを略等角度間隔に配することで形成されている。このようにすれば、少なくとも３つの片部をほぼ同じ大きさとすることができるので、各片部の変形のし易さや各片部での反射光量などをほぼ等しくすることができる。
【００１６】
（４）前記支持部は、前記底板と前記反射部材との間に介在する基部から前記光出射側に向けて突出する形態とされており、前記片部は、前記基部に乗り上げる形で配されている。このようにすれば、基部に乗り上げる形の片部の外面により反射光に角度付けをすることができる。しかも、基部に対して光出射側に片部が被せられることになるので、基部が光出射側に露出する面積を削減でき、これにより、基部が暗部として視認され易くなって輝度ムラをより好適に抑制することができる。
【００１７】
（５）前記光源は、前記底板に沿って複数並列して配されるのに対し、前記支持部は、隣り合う前記光源の間に配されており、前記片部は、その外面が隣り合う前記光源を指向する形で配されている。このようにすれば、光源からの光を、その光源を指向する片部の外面にて効率的に反射させて角度付けすることができるので、輝度の向上を図ることができる。
【００１８】
（６）前記光源は、前記底板に沿って複数ずつ行列状に並列して配されているのに対し、前記支持部は、前記光源の行方向及び前記光源の列方向の双方と交差する方向について隣り合う前記光源の間に配されている。このようにすれば、光学的に暗部の原因となり得る支持部が光源に対して行方向及び列方向に並ぶことが避けられるから、支持部が暗部として一層視認され難くなり、輝度ムラの抑制により好適となる。
【００１９】
（７）前記片部は、前記支持部挿通孔の縁部に前記スリットを４本入れることで、前記支持部に対して隣り合う４つの前記光源をそれぞれ指向するよう４つ形成されている。このようにすれば、４つの各片部の外面にて支持部に対して隣り合う４つの各光源からの光を効率的に反射して角度付けすることができるから、輝度を一層向上させることができる。
【００２０】
（８）前記支持部は、前記行方向及び前記列方向の双方と交差する方向について隣り合う前記光源間の中央位置に配されている。このようにすれば、各片部と指向する各光源との間の間隔が一定となるから、各片部の外面による反射光を極力均一なものとすることができ、輝度ムラの抑制に一層好適となる。
【００２１】
（９）少なくとも３つの前記片部は、少なくとも３本の前記スリットの深さを同一とすることで、その外面が隣り合う前記光源に対して正対するものとされる。このようにすれば、隣り合う光源に対して片部の外面が正対するから、光源からの光をより効率的に反射させて角度付けをすることが可能となり、輝度の向上により好適となる。
【００２２】
（１０）前記片部は、前記スリットを前記基部の外端を超える深さとすることで平面に視て前記基部よりも広範囲にわたって配されている。このようにすれば、片部を平面に視て基部よりも広範囲にわたって配することで、基部に対して片部を乗り上げ易くすることができる。これにより、片部の形状安定性並びにその外面による反射光の指向安定性に優れる。
【００２３】
（１１）前記支持部及び前記基部は、共に表面が白色を呈するものとされる。このようにすれば、支持部及び基部の表面にて光を効率的に反射させることができるから、支持部及び基部が暗部として視認され難くなり、輝度ムラの抑制に好適となる。
【００２４】
（１２）前記底板には、取付孔が形成されているのに対し、前記基部には、前記取付孔に挿入されてその縁部に係止する固定部が設けられている。このようにすれば、底板に形成された取付孔に固定部を挿入してその縁部に係止させることで、支持部を有する基部をシャーシに対して取り付け状態に固定することができる。
【００２５】
（１３）前記スリットは、前記支持部挿通孔の縁部において前記支持部を挟んだ位置に２つ形成されるとともに、その一端側がそれぞれ前記支持部挿通孔内に開口するのに対し、他端側がそれぞれ２つずつに分岐することで、前記片部が２つ形成されている。このようにすれば、支持部挿通孔の縁部に形成した２つの片部により反射部材の伸縮を好適に許容することができる。
【００２６】
（１４）前記スリットは、前記支持部挿通孔の縁部において前記支持部を挟んだ位置に２つ形成されるとともに、その一端側がそれぞれ前記支持部挿通孔内に開口するのに対し、他端側がそれぞれ折り返し状に屈曲してから２つずつに分岐することで、鉤型をなす前記片部が２つ形成されている。このようにすれば、支持部挿通孔の縁部に形成した２つの鉤型をなす片部により反射部材の伸縮を好適に許容することができる。
【００２７】
（１５）前記スリットは、平面に視て凹型をなす前記片部と、凸型をなす前記片部とが互いに凹凸嵌合した形となるよう形成されており、前記スリットのうち両片部の凹凸嵌合部分を縁取る門形部分が前記支持部挿通孔を構成している。このようにすれば、凸型をなす片部のうち、凹型をなす片部に対して凹凸嵌合する部分が捲れることで、支持部を通す支持部挿通孔が形成される。
【００２８】
（１６）前記スリットが渦巻き型の曲線状に形成されることで、前記片部が前記支持部を取り囲む形で１つ形成されている。このようにすれば、支持部を取り囲む形の１つの片部により反射部材の伸縮を好適に許容することができる。
【００２９】
（１７）前記光源は、前記底板と前記反射部材との間に介在する光源基板に実装されており、前記反射部材には、前記光源を通す光源挿通孔が形成されている。このようにすれば、仮に光源挿通孔の縁部にスリットを入れて片部を形成した場合、片部が光源に被さって出光を妨げるおそれがあるが、上記したように本発明では支持部挿通孔の縁部にスリット及び片部を形成しているから、そのような事態を招くことなく、熱膨張または熱収縮に伴う反射部材の伸縮を許容することができる。
【００３０】
（１８）前記光源基板は、表面が白色を呈するものとされる。このようにすれば、支持部挿通孔や光源挿通孔を通して光源基板が光出射側に露出した場合でも、光源基板の表面にて光を効率的に反射させることができるので、光源基板が暗部として視認され難くなり、輝度ムラの抑制に好適となる。
【００３１】
（１９）前記光源は、ＬＥＤからなる。このようにすれば、高輝度化及び低消費電力化などを図ることができる。
【００３２】
（２０）前記ＬＥＤに対する前記光出射側には、前記ＬＥＤからの光を拡散させつつ出射させる拡散レンズが配されている。このようにすれば、ＬＥＤから発せられた光を拡散レンズにより拡散させつつ出射させることができる。これにより、出射光にムラが生じ難くなるので、ＬＥＤの設置数を削減することが可能となり、もって低コスト化を図ることができる。
【００３３】
次に、上記課題を解決するために、本発明の表示装置は、上記記載の照明装置と、前記照明装置からの光を利用して表示を行う表示パネルとを備える。
【００３４】
このような表示装置によると、表示パネルに対して光を供給する照明装置が、輝度ムラの発生が防止されているから、表示品質の優れた表示を実現することが可能となる。
【００３５】
前記表示パネルとしては液晶パネルを例示することができる。このような表示装置は液晶表示装置として、種々の用途、例えばテレビやパソコンのディスプレイ等に適用でき、特に大型画面用として好適である。
【００３６】
（発明の効果）
本発明によれば、輝度ムラを防ぐことができる。
【図面の簡単な説明】
【００３７】
【図１】本発明の一実施形態に係るテレビ受信装置の概略構成を示す分解斜視図
【図２】テレビ受信装置が備える液晶表示装置の概略構成を示す分解斜視図
【図３】液晶表示装置の長辺方向に沿った断面構成を示す断面図
【図４】液晶表示装置に備わるシャーシにおけるＬＥＤ基板（拡散レンズ）及び支持部材の配置構成を示す平面図
【図５】ＬＥＤ、拡散レンズ及び支持部材の配置構成を示す拡大平面図
【図６】図５のvi-vi線断面図
【図７】図５のvii-vii線断面図
【図８】図５のviii-viii線断面図
【図９】反射シートにおける支持部挿通孔（スリット及び片部）及びレンズ挿通孔を示す拡大平面図
【図１０】反射シートが熱膨張した状態を示す図５のvii-vii線断面図
【図１１】反射シートが熱膨張した状態を示す図５のviii-viii線断面図
【図１２】本発明の実施形態２に係るＬＥＤ、拡散レンズ及び支持部材の配置構成、並びにスリット及び片部を示す拡大平面図
【図１３】図１２のxiii-xiii線断面図
【図１４】図１２のxiv-xiv線断面図
【図１５】本発明の実施形態３に係るＬＥＤ、拡散レンズ及び支持部材の配置構成、並びにスリット及び片部を示す拡大平面図
【図１６】本発明の実施形態４に係る反射シートにおける支持部挿通孔、スリット及び片部を示す拡大平面図
【図１７】本発明の実施形態５に係る反射シートにおける支持部挿通孔、スリット及び片部を示す拡大平面図
【図１８】本発明の実施形態６に係る反射シートにおける支持部挿通孔、スリット及び片部を示す拡大平面図
【図１９】本発明の実施形態７に係る反射シートにおける支持部挿通孔、スリット及び片部を示す拡大平面図
【図２０】反射シートをシャーシ内に取り付け、支持部挿通孔に支持部を通した状態を示す拡大平面図
【図２１】本発明の他の実施形態（１）に係るＬＥＤ、拡散レンズ及び支持部材の配置構成を示す拡大平面図
【図２２】本発明の他の実施形態（２１）に係るＬＥＤ及び支持部材の配置構成を示す拡大平面図
【発明を実施するための形態】
【００３８】
＜実施形態１＞
本発明の実施形態１を図１から図１１によって説明する。本実施形態では、液晶表示装置１０について例示する。なお、各図面の一部にはＸ軸、Ｙ軸及びＺ軸を示しており、各軸方向が各図面で示した方向となるように描かれている。また、図３に示す上側を表側とし、同図下側を裏側とする。
【００３９】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長（長手）の方形（長方形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００４０】
次に、液晶表示装置１０を構成する液晶パネル１１及びバックライト装置１２について順次に説明する。このうち、液晶パネル（表示パネル）１１は、平面に視て横長（長手）の方形状（長方形状）をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００４１】
続いて、バックライト装置１２について詳しく説明する。バックライト装置１２は、図２及び図３に示すように、光出射面側（液晶パネル１１側）に開口部１４ｂを有した略箱型をなすシャーシ１４と、シャーシ１４の開口部１４ｂを覆う形で配される光学部材１５群（拡散板（光拡散部材）１５ａと、拡散板１５ａと液晶パネル１１との間に配される複数の光学シート１５ｂ）、シャーシ１４の外縁部に沿って配され光学部材１５群の外縁部をシャーシ１４との間で挟んで保持するフレーム１６とを備える。さらに、シャーシ１４内には、光源であるＬＥＤ１７（Light Emitting Diode：発光ダイオード）と、ＬＥＤ１７が実装されたＬＥＤ基板１８と、ＬＥＤ基板１８においてＬＥＤ１７に対応した位置に取り付けられる拡散レンズ１９とが備えられる。その上、シャーシ１４内には、光学部材１５群の中央側部分を裏側（光出射側とは反対側、底板１４ａ側）から支持可能な支持部材２０と、シャーシ１４内の光を表側（光出射側、光学部材１５側）に反射させる反射シート２１とが備えられる。以下では、バックライト装置１２の各構成部品について詳しく説明する。
【００４２】
シャーシ１４は、金属製とされ、図２及び図３に示すように、液晶パネル１１と同様に横長（長手）の方形状（長方形状）をなす底板１４ａと、底板１４ａの各辺の外端から立ち上がる側板１４ｃと、各側板１４ｃの立ち上がり端から外向きに張り出す受け板１４ｄとからなり、全体としては表側に向けて開口した浅い略箱型（略浅皿状）をなしている。シャーシ１４は、その長辺方向がＸ軸方向（水平方向）と一致し、短辺方向がＹ軸方向（鉛直方向）と一致している。底板１４ａは、ＬＥＤ１７及びＬＥＤ基板１８に対して裏側、つまり光出射側とは反対側に配されている。この底板１４ａには、支持部材２０を取り付けるための取付孔１４ｅが開口して設けられており、取付孔１４ｅは、底板１４ａにおいて支持部材２０の取付位置に対応して複数分散配置されている。各受け板１４ｄには、表側からフレーム１６及び次述する光学部材１５が載置可能とされる。各受け板１４ｄには、フレーム１６がねじ止めされている。
【００４３】
光学部材１５は、図２に示すように、液晶パネル１１及びシャーシ１４と同様に平面に視て横長の方形状をなしている。光学部材１５は、図３に示すように、その外縁部がほぼ全周にわたって各受け板１４ｄに載せられることで、シャーシ１４の開口部１４ｂを覆うとともに、液晶パネル１１とＬＥＤ１７との間に介在して配される。光学部材１５は、シャーシ１４の底板１４ａ、ＬＥＤ基板１８及び反射シート２１との間にＺ軸方向について所定の間隔を空けて表側に配されている。光学部材１５は、裏側（ＬＥＤ１７側、光出射側とは反対側）に配される拡散板１５ａと、表側（液晶パネル１１側、光出射側）に配される光学シート１５ｂとから構成される。拡散板１５ａは、所定の厚みを持つほぼ透明な樹脂製の基材内に拡散粒子を多数分散して設けた構成とされ、透過する光を拡散させる機能を有する。光学シート１５ｂは、拡散板１５ａと比べると板厚が薄いシート状をなしており、２枚が積層して配されている（図２）。具体的な光学シート１５ｂの種類としては、例えば拡散シート、レンズシート、反射型偏光シートなどがあり、これらの中から適宜に選択して使用することが可能である。
【００４４】
フレーム１６は、図２に示すように、液晶パネル１１及び光学部材１５の外周縁部に沿う枠状をなしている。このフレーム１６と各受け板１４ｄとの間で光学部材１５における外縁部を挟持可能とされている（図３）。また、このフレーム１６は、液晶パネル１１における外縁部を裏側から受けることができ、表側に配されるベゼル１３との間で液晶パネル１１の外縁部を挟持可能とされる。
【００４５】
次に、ＬＥＤ１７及びＬＥＤ１７が実装されるＬＥＤ基板１８について説明する。ＬＥＤ１７は、図３及び図６に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光を、白色の光に変換する蛍光体が分散配合されている。これにより、このＬＥＤ１７は、白色発光が可能とされる。このＬＥＤ１７は、ＬＥＤ基板１８に対する実装面とは反対側の面が発光面となる、いわゆるトップ型とされている。
【００４６】
ＬＥＤ基板１８は、図３及び図６に示すように、シャーシ１４の底板１４ａと同様に平面に視て横長の方形状の板状に形成されており、その長辺方向及び短辺方向を底板１４ａと一致させた状態でシャーシ１４内に収容され、それにより底板１４ａの中央側の大部分を覆うことが可能とされる。ＬＥＤ基板１８は、シャーシ１４の底板１４ａと反射シート２１との間に挟み込まれた形で介在している。ＬＥＤ基板１８の基材は、シャーシ１４と同じアルミ系材料などの金属製とされ、その表面に絶縁層を介して銅箔などの金属膜からなる配線パターンが形成されていて、さらには最外表面には、白色を呈する反射層（図示せず）が形成された構成とされる。ＬＥＤ基板１８における表側の面（光学部材１５側を向いた面）は、反射層によってほぼ全域が覆われているので、詳しくは後述する反射シート２１に形成された開口部分（レンズ挿通孔２１ａ、支持部挿通孔２１ｂ、スリット２８）を介して表側に露出した場合でも、光を効率的に反射させることができる。なお、ＬＥＤ基板１８の基材に用いる材料としては、セラミックなどの絶縁材料を用いることも可能である。また、ＬＥＤ基板１８には、シャーシ１４の底板１４ａに形成された各取付孔１４ｅに対して整合する位置に、各取付孔１４ｅに連通可能な連通孔１８ａが開口してそれぞれ設けられている。
【００４７】
このＬＥＤ基板１８のうち、反射層が形成された表側の面には、上記した構成のＬＥＤ１７が表面実装されている。ＬＥＤ１７は、図４及び図５に示すように、ＬＥＤ基板１８においてＸ軸方向（シャーシ１４及びＬＥＤ基板１８の長辺方向）を行方向とし、Ｙ軸方向（シャーシ１４及びＬＥＤ基板１８の短辺方向）を列方向として多数個が行列状（マトリクス状）に並列して配置されるとともに、ＬＥＤ基板１８に形成された図示しない配線パターンに接続されている。具体的には、ＬＥＤ基板１８上には、Ｘ軸方向に１８個ずつ、Ｙ軸方向に９個ずつのＬＥＤ１７が並列配置されている。行方向及び列方向に並列した各ＬＥＤ１７間の間隔、つまり配列ピッチは、ほぼ一定となっている。すなわち、各ＬＥＤ１７は、等間隔に配列されていると言える。
【００４８】
拡散レンズ１９は、ほぼ透明で（高い透光性を有し）且つ屈折率が空気よりも高い合成樹脂材料（例えばポリカーボネートやアクリルなど）からなる。拡散レンズ１９は、図５及び図６に示すように、所定の厚みを有するとともに、平面に視て略円形状に形成されており、ＬＥＤ基板１８に対して各ＬＥＤ１７を表側から個別に覆うよう、つまり平面に視て各ＬＥＤ１７と重畳するようそれぞれ取り付けられている。そして、この拡散レンズ１９は、ＬＥＤ１７から発せられた指向性の強い光を拡散させつつ出射させることができる。つまり、ＬＥＤ１７から発せられた光は、拡散レンズ１９を介することにより指向性が緩和されるので、隣り合うＬＥＤ１７間の間隔を広くとってもその間の領域が暗部として視認され難くなる。これにより、ＬＥＤ１７の設置個数を少なくすることが可能となっている。この拡散レンズ１９は、平面に視てＬＥＤ１７とほぼ同心となる位置に配されている。
【００４９】
この拡散レンズ１９のうち、裏側を向き、ＬＥＤ基板１８と対向する面がＬＥＤ１７からの光が入射される光入射面１９ａとされるのに対し、表側を向き、光学部材１５と対向する面が光を出射する光出射面１９ｂとされる。このうち、光入射面１９ａは、図６に示すように、全体としてはＬＥＤ基板１８の板面（Ｘ軸方向及びＹ軸方向）に沿って並行する形態とされるものの、平面に視てＬＥＤ１７と重畳する領域に光入射側凹部１９ｃが形成されることでＬＥＤ１７の光軸ＬＡに対して傾斜した傾斜面を有している。光入射側凹部１９ｃは、断面逆Ｖ字型の略円錐状をなすとともに拡散レンズ１９においてほぼ同心位置に配されている。ＬＥＤ１７から発せられて光入射側凹部１９ｃ内に入った光は、傾斜面によって広角に屈折されつつ拡散レンズ１９に入射する。また、光入射面１９ａからは、ＬＥＤ基板１８に対する取付構造である取付脚部１９ｄが突設されている。光出射面１９ｂは、扁平な略球面状に形成されており、それにより、拡散レンズ１９から出射する光を広角に屈折させつつ出射させることが可能とされる。この光出射面１９ｂのうち平面に視てＬＥＤ１７と重畳する領域には、略擂鉢状をなす光出射側凹部１９ｅが形成されている。この光出射側凹部１９ｅにより、ＬＥＤ１７からの光の多くを広角に屈折させつつ出射させたり、或いはＬＥＤ１７からの光の一部をＬＥＤ基板１８側に反射させることができる。
【００５０】
支持部材２０は、図２及び図３に示すように、光学部材１５のうち、シャーシ１４の各受け板１４ｄにより支持される外周縁部を除いた中央側部分を裏側、つまり底板１４ａ側から支持することで、光学部材１５とＬＥＤ１７（拡散レンズ１９）とのＺ軸方向についての位置関係を一定に維持することが可能とされる。支持部材２０は、シャーシ１４内において底板１４ａの四隅近傍にそれぞれ対応して合計４つが分散配置されている。詳しくは、支持部材２０は、Ｘ軸方向及びＹ軸方向について行列状に配された各ＬＥＤ１７（各拡散レンズ１９）の行及び列からは外れた位置に配されている。すなわち、支持部材２０は、Ｘ軸方向（行方向）及びＹ軸方向（列方向）の双方に対して交差した斜め方向について隣り合うＬＥＤ１７の間に配されている。さらに詳しくは、支持部材２０は、図５に示すように、上記した斜め方向に隣り合うＬＥＤ１７（拡散レンズ１９）間の中央位置、つまり斜め方向に隣り合う各ＬＥＤ１７（拡散レンズ１９）の中心同士を結んでなる一対の傾斜線の交点と同心状に配されている。これにより、光学的に暗部の原因となり得る支持部材２０がＬＥＤ１７に対してその行方向または列方向に並ぶことが避けられる。また、支持部材２０と隣り合う各ＬＥＤ１７との間の距離は、それぞれほぼ等しいものとされる。
【００５１】
支持部材２０は、ポリカーボネートなどの合成樹脂製とされており、表面が光の反射性に優れた白色を呈する。支持部材２０は、図５，図７及び図８に示すように、シャーシ１４の底板１４ａ及びＬＥＤ基板１８に沿う板状をなす基部２２と、基部２２（底板１４ａ側）から表側、つまり光出射側に向けて突出するとともに光学部材１５を支持する支持部２３と、基部２２から裏側、つまり光出射側とは反対側に向けて突出するとともに底板１４ａに固定される固定部２４とから構成されている。
【００５２】
基部２２は、平面に視て略正方形状をなす板状に形成されており、シャーシ１４の底板１４ａと反射シート２１との間に介在している。基部２２は、ＬＥＤ基板１８と反射シート２１との間に介在しており、ＬＥＤ基板１８に対して表側に重なるよう配されているので、基部２２の表側の面とＬＥＤ基板１８の表側の面との間には、基部２２の厚さ分の段差が生じている。基部２２は、底板１４ａとの間でＬＥＤ基板１８を挟み込んでおり、上記した固定部２４が底板１４ａに固定されることで、ＬＥＤ基板１８を底板１４ａとの間で保持することが可能とされる。つまり、本実施形態に係る支持部材２０は、光学部材１５を支持する機能に加え、ＬＥＤ基板１８をシャーシ１４に固定する機能をも併有していると言える。この基部２２は、平面に視て各辺がＸ軸方向及びＹ軸方向の双方に対して傾斜状をなしていて、支持部材２０とＬＥＤ１７（拡散レンズ１９及びレンズ挿通孔２１ａ）との並び方向と並行する状態で取り付けられている。なお、図５では、基部２２における各辺を破線にて図示している。
【００５３】
支持部２３は、基部２２における表側の面から表側に向けて突出するとともに、全体として円錐状をなしている。詳しくは、支持部２３は、基部２２の板面に沿って切断した断面形状が円形状とされるとともに、突出基端側から突出先端側にかけて次第に径寸法が小さくなるよう先細り状に形成されている。支持部２３は、基部２２におけるほぼ中心位置に配されており、その最大径寸法（突出基端部における径寸法）が基部２２における各辺の寸法よりも小さなものとされる。言い換えると、基部２２は、支持部２３の突出基端部における外周端面から全周にわたって側方へ張り出す形態、つまり鍔状をなしていると言える。支持部２３は、その突出先端部が光学部材１５のうち最も裏側（ＬＥＤ１７側）に配された拡散板１５ａに対して当接可能とされ、それにより拡散板１５ａを反射シート２１（ＬＥＤ基板１８、底板１４ａ）から所定の間隔を空けた位置に支持することができる。従って、支持部２３は、例えば光学部材１５が熱膨張または熱収縮に伴って撓んだ場合でも、光学部材１５がＬＥＤ１７側に接近するよう変位するのを規制することができ、もって光学部材１５とＬＥＤ１７とのＺ軸方向（光学部材１５の面と直交する方向）についての位置関係を一定の状態に維持することが可能とされる。この支持部２３は、支持部材２０のうち表側に突出する部位であるから、シャーシ１４に対する支持部材２０の取付作業を行う際に、作業者が操作部として利用することが可能とされている。また、支持部２３における突出先端部は、丸みを帯びたＲ形状とされる。
【００５４】
固定部２４は、基部２２における裏側の面から裏側へ向けて突出するとともに、ＬＥＤ基板１８における支持部材２０の取付位置に対応して形成された連通孔１８ａ及びシャーシ１４の底板１４ａにおける支持部材２０の取付位置に対応して形成された取付孔１４ｅ内に挿入されて、取付孔１４ｅの縁部に対して係止可能とされる。固定部２４は、その突出先端部に溝部２４ａを凹設することで弾性係止片２４ｂを有している。詳しくは、溝部２４ａは、略十字形をなしていて、それにより４本の弾性係止片２４ｂが形成されている。これら弾性係止片２４ｂは、溝部２４ａ内に退避しつつ弾性変形が可能とされる。各弾性係止片２４ｂの外面に形成された係止部２４ｃが底板１４ａにおける取付孔１４ｅの縁部に係止されることで、支持部材２０をシャーシ１４に対して抜け止め状態に保持することが可能とされる。この固定部２４は、基部２２におけるほぼ中心位置、つまり表側の支持部２３に対して平面に視て重畳し且つ同心となる位置に配されている。従って、シャーシ１４に支持部材２０を取り付ける作業を行うにあたって、支持部２３を操作部として利用した場合、表側に露出する支持部２３を目視することで、その裏側に隠れる固定部２４の位置を容易に把握することができる。従って、固定部２４を連通孔１８ａ及び取付孔１４ｅに挿入する際の作業性を向上させることができる。
【００５５】
反射シート２１は、合成樹脂製とされ、表面が光の反射性に優れた白色を呈するものとされる。反射シート２１は、図３及び図６に示すように、ＬＥＤ基板１８に対して表側に重なる形で配されており、言い換えるとＬＥＤ基板１８及びシャーシ１４の底板１４ａと、光学部材１５との間に配されている。反射シート２１は、図２から図４に示すように、シャーシ１４の底板１４ａ及びＬＥＤ基板１８に沿って延在する中央側の底部２５と、底部２５における外端部から表側に向けて立ち上がる立ち上がり部２６と、立ち上がり部２６の立ち上がり端からさらに延出する延出部２７とから構成される。底部２５は、シャーシ１４の底板１４ａと同様に横長（長手）の方形状（長方形状）をなしており、その長辺方向がＸ軸方向と、短辺方向がＹ軸方向とそれぞれ一致している。また、底部２５は、ＬＥＤ基板１８に対して接着層（図示せず）を介して固着されている。立ち上がり部２６は、底部２５における一対の長辺及び一対の短辺からそれぞれ表側に向けて立ち上げられており、それぞれ底部２５に対して傾斜状をなしている。延出部２７は、シャーシ１４の受け板１４ｄと拡散板１５ａとの間に挟み込まれた状態で挟持される。
【００５６】
反射シート２１のうち底部２５には、図４に示すように、シャーシ１４内に配された各ＬＥＤ１７と共に各ＬＥＤ１７を覆う各拡散レンズ１９をも挿通することが可能なレンズ挿通孔２１ａが貫通（開口）して形成されている。レンズ挿通孔２１ａは、底部２５において平面に視て各ＬＥＤ１７及び各拡散レンズ１９と重畳する位置に複数並列して配され、これらと同様に行列状に配されている。各レンズ挿通孔２１ａは、図５に示すように、平面に視て円形状をなしており、その径寸法は拡散レンズ１９よりも大きくなる設定とされる。これにより、反射シート２１をシャーシ１４内に敷設する際、寸法誤差の発生の有無に拘わらず各拡散レンズ１９を各レンズ挿通孔２１ａに対して確実に通すことができる。この反射シート２１は、図４に示すように、シャーシ１４内において、隣り合う各拡散レンズ１９間の領域及び外周側領域を覆うので、それら各領域に向かう光を光学部材１５側に向けて反射させることができる。
【００５７】
ここで、本実施形態に係る反射シート２１は、図５及び図７に示すように、ＬＥＤ基板１８に加えて支持部材２０における基部２２に対しても表側に重なる形で配されている。つまり、支持部材２０における基部２２は、反射シート２１により表側から覆われることで、表側への露出面積の削減が図られている。支持部材２０は、その表面が白色を呈する形態とされるものの、その光反射率に関しては反射シート２１に比べると相対的に低いものとされる場合が多く、そのため表側への露出面積が大きくなるほど暗部として視認され易くなる傾向とされる。従って、上記のように反射シート２１を基部２２に被せて支持部材２０における表側への露出面積を削減することで、支持部材２０自体が暗部として視認され難くすることができるのである。
【００５８】
上記のような構成を採用しているため、反射シート２１における底部２５には、図４及び図５に示すように、平面に見て各支持部材２０の支持部２３と重畳する位置に、支持部２３を通す支持部挿通孔２１ｂがそれぞれ形成されている。支持部挿通孔２１ｂは、図５及び図９に示すように、支持部２３の平面形状に倣って平面に視て略円形状に形成されるとともに、その孔径が支持部２３の突出基端部（根元側端部）よりも少し大きい程度とされ、それにより支持部２３の挿入が可能とされる。支持部挿通孔２１ｂは、反射シート２１の底部２５においてＸ軸方向及びＹ軸方向について行列状に配された各レンズ挿通孔２１ａの行及び列からは外れた位置に配されている。すなわち、支持部挿通孔２１ｂは、Ｘ軸方向（行方向）及びＹ軸方向（列方向）の双方に対して交差した斜め方向について隣り合うレンズ挿通孔２１ａの間に配されている。さらに詳しくは、支持部挿通孔２１ｂは、上記した斜め方向に隣り合うレンズ挿通孔２１ａ間の中央位置、つまり斜め方向に隣り合う各レンズ挿通孔２１ａの中心同士を結んでなる一対の傾斜線の交点と同心状に配されている。
【００５９】
ところで、上記したように反射シート２１に支持部挿通孔２１ｂを形成すると、次の問題が生じることが懸念される。すなわち、バックライト装置１２内の温度環境の変化に伴い、反射シート２１に熱膨張または熱収縮が生じた場合、支持部挿通孔２１ｂの縁部が支持部２３に当たることで反射シート２１の伸縮がそこで規制（拘束）されるおそれがある。そうなると、反射シート２１に撓みやしわなどといった意図しない変形が生じ、それに伴って反射シート２１の表面での反射光にもムラが生じ、輝度ムラの原因となる可能性があった。そこで、本実施形態では、熱膨張または熱収縮に伴う反射シート２１の変位を許容すべく、図５及び図６に示すように、支持ピン挿通孔２１ｂの縁部にスリット２８を入れて片部２９を形成するようにしている。以下、スリット２８及び片部２９について詳細に説明する。
【００６０】
スリット２８は、図９に示すように、直線状をなしており、反射シート２１の支持部挿通孔２１ｂの縁部において複数形成されるとともにその一端が支持部挿通孔２１ｂ内に向けて開口し、他端が閉じた形態とされている。これにより、片部２９は、複数形成されるとともにそれぞれ片持ち状をなしている。片持ち状とされる片部２９における自由端部２９ｂが支持部挿通孔２１ｂに臨むのに対し、基端部２９ａが隣り合う両スリット２８の他端（開口端とは反対側の端）間を結んだ線Ｌ上に配される部位により構成され、片部２９はこの基端部２９ａを支点にして弾性変形可能とされる（図７及び図８参照）。なお、図９では、線Ｌを一点鎖線にて示している。より具体的には、スリット２８は、支持部挿通孔２１ｂの縁部において支持部２３を中心にして放射状に４本入れられており、それにより片部２９が４つ形成されている。つまり、４本のスリット２８により支持部挿通孔２１ｂの縁部は、４つの片部２９に分割されていることになる。各スリット２８は、支持部挿通孔２１ｂの縁部において９０度ずつの角度間隔を空けた位置に、等角度間隔でもって配されており、それにより各片部２９は、形状及び大きさ（表面積）がほぼ同一とされる。従って、各片部２９は、剛性、つまり変形のし易さについてもほぼ同一とされるとともに、その表面での反射光量についてもほぼ同一となる。
【００６１】
スリット２８は、支持部挿通孔２１ｂの縁部において、２本がＸ軸方向に隣り合うＬＥＤ１７の中間位置に配されるとともにＹ軸方向に沿って並行しているのに対し、他の２本がＹ軸方向に隣り合うＬＥＤ１７の中間位置に配されるとともにＸ軸方向に沿って並行しており、全体として平面に視て十字型に配されている。このため、各スリット２８間に形成される各片部２９は、基端部２９ａを支点にして表側に立ち上げられると、図７に示すように、その外面２９ｃがそれぞれ隣り合う各レンズ挿通孔２１ａ（各ＬＥＤ１７及び各拡散レンズ１９）側を指向する形となる。各片部２９は、反射シート２１がＬＥＤ基板１８上に敷設されたとき、ＬＥＤ基板１８の表面に対して段差状をなす支持部材２０の基部２２に乗り上げることで、基端部２９ａを支点にして弾性変形されるとともにＬＥＤ基板１８及び基部２２の表面に対して傾斜状をなすものとされる。各スリット２８は、図９に示すように、その深さ寸法がほぼ同一とされるので、その他端間を結ぶ線Ｌが支持部挿通孔２１ｂ（支持部２３）と隣り合うレンズ挿通孔２１ａ（ＬＥＤ１７及び拡散レンズ１９）との並び方向（既述した斜め方向）に並行する。従って、各片部２９は、基端部２９ａを支点にして立ち上げられた状態では、図５及び図７に示すように、その外面２９ｃが隣り合う各レンズ挿通孔２１ａ（各ＬＥＤ１７及び各拡散レンズ１９）に対して正対する形とされる。なお、基部２２は、その四隅の各角部が各スリット２８と一致する状態で取り付けられており、各辺が各スリット２８の他端間を結ぶ線Ｌと並行している（図５及び図９）。また、各スリット２８は、図５に示すように、その他端が基部２２の外端を超える位置に至る深さとされている。これにより、各片部２９は、平面に視て基部２２よりも広範囲にわたって配されており、その基端部２９ａが基部２２の外端よりも外側、つまり隣り合うレンズ挿通孔２１ａ（ＬＥＤ１７及び拡散レンズ１９）寄りに位置している。
【００６２】
本実施形態は以上のような構造であり、続いてその作用を説明する。液晶表示装置１０を製造するには、それぞれ別途に製造した液晶パネル１１、バックライト装置１２及びベゼル１３などを組み付けるようにする。以下、バックライト装置１２の組み付け手順について説明する。
【００６３】
まず、各ＬＥＤ１７及び各拡散レンズ１９を実装した状態のＬＥＤ基板１８をシャーシ１４内に収容する。このとき、ＬＥＤ基板１８の各連通孔１８ａを底板１４ａの各取付孔１４ｅに位置合わせして連通させておく。それから、各支持部材２０を対応する位置に取り付けると、固定部２５が連通孔１８ａ及び取付孔１４ｅ内に挿入される。このとき、各弾性係止片２５ｂが一旦弾性変形されて溝部２５ａ内に退避した後、復元すると係止部２５ｃが取付孔１４ｅの縁部に対して裏側から係止される（図７及び図８）。これにより、支持部材２０がシャーシ１４に対して抜け止め状態に保持されるとともに、基部２２と底板１４ａとの間でＬＥＤ基板１８が挟持された状態に保持される。
【００６４】
各支持部材２０の取り付けが完了したら、続いて反射シート２１をシャーシ１４内に敷設する作業を行う。このとき、底部２５の各レンズ挿通孔２１ａを各拡散レンズ１９に、各支持部挿通孔２１ｂを各支持部２３にそれぞれ位置合わせしつつ挿通させるようにする（図３及び図５）。ここで、支持部材２０の基部２２は、ＬＥＤ基板１８の表側の面に対して段差状をなしていることから、底部２５がＬＥＤ基板１８の表側に重ねられた状態に至ると、支持部挿通孔２１ｂの縁部に形成された各片部２９は、図５，図７及び図８に示すように、基部２２に対して乗り上げるとともに基端部２９ａを支点にして弾性変形されて傾斜姿勢となる。この状態では、基部２２は、その大部分が各片部２９により表側から覆われることになるため、各片部２９の弾性変形に伴って僅かに開いた各スリット２８の隙間に臨む部分を除いて殆ど表側に露出することが避けられている（図５）。また、この状態では、各片部２９の外面２９ｃが支持部２３と隣り合う各ＬＥＤ１７及び各拡散レンズ１９に向けて指向した形で配される（図７及び図８）。
【００６５】
上記のようにして反射シート２１をシャーシ１４内に敷設したら、シャーシ１４の受け板１４ｄ上に光学部材１５をなす拡散板１５ａ、各光学シート１５ｂを順次載置する作業を行う。このとき、拡散板１５ａのうち外周縁部が各受け板１４ｄにより支持されるのに対し、中央側部分が各支持部材２０の支持部２３により支持されることで、拡散板１５ａ及びその表側に載置された光学シート１５ｂと各ＬＥＤ１７（各拡散レンズ１９）との間の間隔が一定に維持される。また、このとき反射シート２１の延出部２７が拡散板１５ａと受け板１４ｄとの間で挟持される。その後、フレーム１６をシャーシ１４に取り付けると、フレーム１６と受け板１４ｄとの間で光学部材１５の外周縁部が挟持される。上記のようにしてバックライト装置１２が製造される。
【００６６】
上記のようにして製造されたバックライト１２を備える液晶表示装置１０を使用する際には、各ＬＥＤ１７を点灯させるとともに、液晶パネル１１に画像信号を供給するようにしており、それにより液晶パネル１１の表示面に所定の画像が表示されるようになっている。各ＬＥＤ１７を点灯させるのに伴い発せられた光は、図６及び図７に示すように、まず拡散レンズ１９の光入射面１９ａに入射する。このとき、光の大半は、光入射面１９ａのうち光入射側凹部１９ｃにおける傾斜面に入射することで、その傾斜角度に応じて広角に屈折されつつ拡散レンズ１９内に入射する。そして、入射した光は、拡散レンズ１９内を伝播した後、光出射面１９ｂから出射されるのであるが、この光出射面１９ｂは、扁平な略球面状をなしているので、外部の空気層との界面にて光がさらに広角に屈折されつつ出射される。しかも、光出射面１９ｂのうちＬＥＤ１７からの光量が最も多くなる領域には、略擂鉢状をなす光出射側凹部１９ｅが形成され、且つその周面が扁平な略球面状をなしているので、光出射側凹部１９ｅの周面にて光を広角に屈折させつつ出射させたり、或いはＬＥＤ基板１８側に反射させることができる。このうち、ＬＥＤ基板１８側に戻された光は、ＬＥＤ基板１８の表面に形成された反射層により拡散レンズ１９側に反射されて再び拡散レンズ１９に入射されることで有効利用されるので、高い輝度が得られる。また、各拡散レンズ１９と対向状をなす光学部材１５は、支持部材２０の支持部２３により裏側から支持されていて各拡散レンズ１９との間の間隔がほぼ一定に維持されているので、各拡散レンズ１９（各ＬＥＤ１７）から発せられた光が光学部材１５に入射するまでの光路長を、光学部材１５の面内においてほぼ均一なものとすることができ、もって輝度ムラの防止に好適となる。
【００６７】
ＬＥＤ１７から発せられた光は、上記したように拡散レンズ１９を介することで広角な角度範囲に拡散しつつ出射される。ここで、支持部挿通孔２１ｂの縁部に形成された各片部２９は、図５から図８に示すように、その外面が隣り合う各拡散レンズ１９に向けて指向していて正対する形で配されていることから、各拡散レンズ１９から支持部２３へ向かう光を各片部２９の外面２９ｃにより効率的に反射させることができる。しかも、各片部２９は、基部２２に乗り上げることで傾斜姿勢をとっているので、その外面２９ｃにて反射した光を角度付けして表側に向けて立ち上げることができる。これにより、ＬＥＤ１７から発せられた光の利用効率を高めることができ、輝度の向上を図ることができる。しかも、支持部２３を取り囲む各片部２９は、大きさがほぼ同じとされているので、隣り合う各ＬＥＤ１７からの光をほぼ均等に且つ放射状に反射させることができ、もって輝度ムラの防止にも好適となる。また、各支持部材２０は、ＬＥＤ１７の行方向及び列方向の双方に対して交差する方向について隣り合うＬＥＤ１７間に配されているのに加え、基部２２は、各片部２９により大部分が覆われていて殆ど表側に露出することがないから、支持部材２０が暗部として表側から視認され難くなっており、もって輝度ムラを効果的に抑制することができる。
【００６８】
上記のように液晶表示装置１０を使用する際には、バックライト装置１２内の各ＬＥＤ１７を点灯または消灯させるなどするため、内部の温度環境に変化が生じ、それに伴い液晶表示装置１０の各構成部品は、熱膨張または熱収縮する可能性がある。中でもバックライト装置１２を構成する反射シート２１は、熱膨張率が高い合成樹脂製で且つ大型の部品であることから、熱膨張または熱収縮に伴う伸縮量が特に大きなものとされ、さらに言及すると反射シート２１のうち、その主要部である底部２５の伸縮量が最大となる。ここで、仮に熱膨張または熱収縮時に底部２５が伸縮を規制されてしまうと、底部２５において不特定の位置に撓みやしわといった意図しない変形が生じることになり、そうなると反射光にムラが生じるおそれがある。その点、本実施形態では、底部２５のうち各支持部挿通孔２１ｂの縁部にスリット２８を入れることで片部２９を形成しているから、図１０及び図１１に示すように、反射シート２１の底部２５に熱膨張または熱収縮が生じた場合でも支持部２３に当たった片部２９が変形したり、または支持部２３がスリット２８内に入ることで、反射シート２１の底部２５がその平面方向に伸縮するのを許容することができる。これにより、反射シート２１の底部２５にしわや撓みが生じ難くなるので、底部２５によって反射された光にもムラが生じ難くなり、結果としてバックライト装置１２の出射光にも輝度ムラが生じ難くなる。なお、図１０及び図１１では、各片部２９における熱膨張または熱収縮する前の状態を二点鎖線にて図示している。
【００６９】
しかも、支持部挿通孔２１ｂの縁部に入れられたスリット２８は、支持部２３を中心にして放射状に４本配されており、４つの各片部２９が支持部２３を全周にわたって取り囲む形で配されている。これにより、各片部２９の変形の自由度が高められるのに加えて、反射シート２１の底部２５が支持部２３に対してその平面方向の全方位に変位するのが許容されるので、熱膨張または熱収縮が生じた場合でも反射シート２１に撓みやしわが一層生じ難くなる。また、支持部２３を取り囲む各片部２９は、大きさがほぼ同じとされているので、変形のし易さについてもほぼ同様とされ、それにより熱膨張または熱収縮時の底部２５の自由な伸縮を許容することができる。以上により、バックライト装置１２からの出射光がムラのない均一なものとされるから、液晶表示装置１０の表示面における表示品位についても良好なものとされる。
【００７０】
以上説明したように本実施形態のバックライト装置１２は、光源であるＬＥＤ１７と、ＬＥＤ１７に対して光出射側とは反対側に配される底板１４ａを有するとともにＬＥＤ１７を収容するシャーシ１４と、底板１４ａに対して間隔を空けて光出射側に配される光学部材１５と、底板１４ａ側から光出射側に向けて突出するとともに光学部材１５を支持可能な支持部２３と、底板１４ａと光学部材１５との間に配されるとともに支持部２３を通す支持部挿通孔２１ｂを有していて光を反射させる反射部材である反射シート２１とを備え、反射シート２１は、支持部挿通孔２１ｂの縁部にスリット２８を入れることで形成される片部２９を有している。
【００７１】
このようにすれば、シャーシ１４の底板１４ａに対して間隔を空けて光出射側に配される光学部材１５は、底板１４ａ側から光出射側に向けて突出する支持部２３により支持されることで、ＬＥＤ１７との位置関係が一定に維持されるようになっている。ＬＥＤ１７から発せられた光は、底板１４ａと光学部材１５との間に配される反射シート２１により反射されるなどして光学部材１５に対して供給され、光学部材１５を透過されてから外部へと出射される。
【００７２】
ところで、支持部２３は、反射シート２１に形成された支持部挿通孔２１ｂに通された状態とされる。このため、反射シート２１は、支持部２３に対して支持部挿通孔２１ｂの縁部が当たることで熱膨張または熱収縮に伴う伸縮が規制される、といった事態が生じるのが懸念される。その点、本実施形態では、反射シート２１における支持部挿通孔２１ｂの縁部には、スリット２８を入れることで片部２９が形成されているから、反射シート２１に熱膨張または熱収縮が生じた場合でも支持部２３に当たった片部２９が変形したり、または支持部２３がスリット２８内に入ることで、反射シート２１が伸縮するのを許容することができる。これにより、反射シート２１にしわや撓みが生じ難くなるので、反射シート２１によって反射された光にもムラが生じ難くなり、結果として出射光にも輝度ムラが生じ難くなる。
【００７３】
また、仮に支持部挿通孔２１ｂの大きさについて、熱膨張及び熱収縮に伴う反射シート２１の伸縮量を見越した十分なものとした場合に比べると、スリット２８及び片部２９を形成することで支持部挿通孔２１ｂの大きさ、つまり反射シート２１における開口面積を極力小さなものとすることができるので、輝度ムラの抑制に一層好適となる。
【００７４】
また、片部２９は、支持部挿通孔２１ｂの縁部にスリット２８を複数入れることで複数形成されている。このようにすれば、支持部挿通孔２１ｂの縁部における変形の自由度をより高くすることができるので、熱膨張または熱収縮に伴う反射シート２１の伸縮をより積極的に許容することができる。これにより、輝度ムラをより好適に抑制することができる。
【００７５】
また、片部２９は、支持部挿通孔２１ｂの縁部にスリット２８を、支持部２３を中心にして放射状に少なくとも３本配することで、少なくとも３つ、片持ち状に形成されている。このようにすれば、スリット２８を、支持部２３を中心にして放射状に少なくとも３本配することで、支持部挿通孔２１ｂの縁部が少なくとも３つの片持ち状の片部２９に分割されることになり、各片部２９が支持部２３を全周にわたって取り囲む形で配される。これにより、反射シート２１が支持部２３に対して底板１４ａに沿う全方位に変位するのが許容され、もって反射シート２１に熱膨張または熱収縮が生じた場合に撓みやしわがより生じ難くなって輝度ムラの抑制に好適となる。
【００７６】
また、少なくとも３つの片部２９は、支持部挿通孔２１ｂの縁部に少なくとも３本のスリット２８を略等角度間隔に配することで形成されている。このようにすれば、少なくとも３つの片部２９をほぼ同じ大きさとすることができるので、各片部２９の変形のし易さや各片部２９での反射光量などをほぼ等しくすることができる。
【００７７】
また、支持部２３は、底板１４ａと反射シート２１との間に介在する基部２２から光出射側に向けて突出する形態とされており、片部２９は、基部２２に乗り上げる形で配されている。このようにすれば、基部２２に乗り上げる形の片部２９の外面２３ｃにより反射光に角度付けをすることができる。しかも、基部２２に対して光出射側に片部２９が被せられることになるので、基部２２が光出射側に露出する面積を削減でき、これにより、基部２２が暗部として視認され易くなって輝度ムラをより好適に抑制することができる。
【００７８】
また、ＬＥＤ１７は、底板１４ａに沿って複数並列して配されるのに対し、支持部２３は、隣り合うＬＥＤ１７の間に配されており、片部２９は、その外面２３ｃが隣り合うＬＥＤ１７を指向する形で配されている。このようにすれば、ＬＥＤ１７からの光を、そのＬＥＤ１７を指向する片部２９の外面２３ｃにて効率的に反射させて角度付けすることができるので、輝度の向上を図ることができる。
【００７９】
また、ＬＥＤ１７は、底板１４ａに沿って複数ずつ行列状に並列して配されているのに対し、支持部２３は、ＬＥＤ１７の行方向及びＬＥＤ１７の列方向の双方と交差する方向について隣り合うＬＥＤ１７の間に配されている。このようにすれば、光学的に暗部の原因となり得る支持部２３がＬＥＤ１７に対して行方向及び列方向に並ぶことが避けられるから、支持部２３が暗部として一層視認され難くなり、輝度ムラの抑制により好適となる。
【００８０】
また、片部２９は、支持部挿通孔２１ｂの縁部にスリット２８を４本入れることで、支持部２３に対して隣り合う４つのＬＥＤ１７をそれぞれ指向するよう４つ形成されている。このようにすれば、４つの各片部２９の外面２３ｃにて支持部２３に対して隣り合う４つの各ＬＥＤ１７からの光を効率的に反射して角度付けすることができるから、輝度を一層向上させることができる。
【００８１】
また、支持部２３は、行方向及び列方向の双方と交差する方向について隣り合うＬＥＤ１７間の中央位置に配されている。このようにすれば、各片部２９と指向する各ＬＥＤ１７との間の間隔が一定となるから、各片部２９の外面２３ｃによる反射光を極力均一なものとすることができ、輝度ムラの抑制に一層好適となる。
【００８２】
また、少なくとも３つの片部２９は、少なくとも３本のスリット２８の深さを同一とすることで、その外面２３ｃが隣り合うＬＥＤ１７に対して正対するものとされる。このようにすれば、隣り合うＬＥＤ１７に対して片部２９の外面２３ｃが正対するから、ＬＥＤ１７からの光をより効率的に反射させて角度付けをすることが可能となり、輝度の向上により好適となる。
【００８３】
また、片部２９は、スリット２８を基部２２の外端を超える深さとすることで平面に視て基部２２よりも広範囲にわたって配されている。このようにすれば、片部２９を平面に視て基部２２よりも広範囲にわたって配することで、基部２２に対して片部２９を乗り上げ易くすることができる。これにより、片部２９の形状安定性並びにその外面２３ｃによる反射光の指向安定性に優れる。
【００８４】
また、支持部２３及び基部２２は、共に表面が白色を呈するものとされる。このようにすれば、支持部２３及び基部２２の表面にて光を効率的に反射させることができるから、支持部２３及び基部２２が暗部として視認され難くなり、輝度ムラの抑制に好適となる。
【００８５】
また、底板１４ａには、取付孔１４ｅが形成されているのに対し、基部２２には、取付孔１４ｅに挿入されてその縁部に係止する固定部２４が設けられている。このようにすれば、底板１４ａに形成された取付孔１４ｅに固定部２４を挿入してその縁部に係止させることで、支持部２３を有する基部２２をシャーシ１４に対して取り付け状態に固定することができる。
【００８６】
また、ＬＥＤ１７は、底板１４ａと反射シート２１との間に介在するＬＥＤ基板１８に実装されており、反射シート２１には、ＬＥＤ１７を通す光源挿通孔であるレンズ挿通孔２１ａが形成されている。このようにすれば、仮にレンズ挿通孔２１ａの縁部にスリットを入れて片部を形成した場合、片部がＬＥＤ１７に被さって出光を妨げるおそれがあるが、上記したように本実施形態では支持部挿通孔２１ｂの縁部にスリット２８及び片部２９を形成しているから、そのような事態を招くことなく、熱膨張または熱収縮に伴う反射シート２１の伸縮を許容することができる。
【００８７】
また、ＬＥＤ基板１８は、表面が白色を呈するものとされる。このようにすれば、支持部挿通孔２１ｂやレンズ挿通孔２１ａを通してＬＥＤ基板１８が光出射側に露出した場合でも、ＬＥＤ基板１８の表面にて光を効率的に反射させることができるので、ＬＥＤ基板１８が暗部として視認され難くなり、輝度ムラの抑制に好適となる。
【００８８】
また、光源は、ＬＥＤ１７からなる。このようにすれば、高輝度化及び低消費電力化などを図ることができる。
【００８９】
また、ＬＥＤ１７に対する光出射側には、ＬＥＤ１７からの光を拡散させつつ出射させる拡散レンズ１９が配されている。このようにすれば、ＬＥＤ１７から発せられた光を拡散レンズ１９により拡散させつつ出射させることができる。これにより、出射光にムラが生じ難くなるので、ＬＥＤ１７の設置数を削減することが可能となり、もって低コスト化を図ることができる。
【００９０】
＜実施形態２＞
本発明の実施形態２を図１２から図１４によって説明する。この実施形態２では、スリット１２８及び片部１２９の配置を変更したものを示す。なお、上記した実施形態１と同様の構造、作用及び効果について重複する説明は省略する。
【００９１】
本実施形態に係るスリット１２８及び片部１２９は、図１２に示すように、上記した実施形態１に記載したスリット２８及び片部２９を、支持部２３を中心として４５度の角度分だけ回動させたような配置とされている。詳しくは、４本の各スリット１２８は、支持部挿通孔２１ｂの縁部においてＸ軸方向及びＹ軸方向の双方に対して交差する斜め方向、つまり支持部２３と隣り合うＬＥＤ１７（拡散レンズ１９）との並び方向に沿って並行する形態とされる。従って、各スリット１２８間に形成される４つの各片部１２９は、基端部１２９ａを支点にして表側に立ち上げられると、図１３及び図１４に示すように、その外面１２９ｃがＸ軸方向またはＹ軸方向について隣り合うＬＥＤ１７（拡散レンズ１９）の間を向く形とされる。なお、基部２２は、図１２に示すように、その四隅の各角部が各スリット１２８と一致する状態で取り付けられており、各辺がＸ軸方向またはＹ軸方向と並行している。
【００９２】
＜実施形態３＞
本発明の実施形態３を図１５によって説明する。この実施形態３では、ＬＥＤ２１７及び拡散レンズ２１９の配置を変更するとともにスリット２２８及び片部２２９の設置数及び配置を変更したものを示す。なお、上記した実施形態１と同様の構造、作用及び効果について重複する説明は省略する。
【００９３】
ＬＥＤ２１７及び拡散レンズ２１９は、図１５に示すように、共にＬＥＤ基板１８の面内において千鳥状（ジグザグ状）に配置されている。つまり、ＬＥＤ基板１８上には、ＬＥＤ２１７及び拡散レンズ２１９をＸ軸方向に沿って複数並列してなる行が、Ｙ軸方向に複数配されているものの、Ｙ軸方向に隣り合う行を構成するＬＥＤ２１７及び拡散レンズ２１９同士は、Ｘ軸方向にオフセットしていてＸ軸方向及びＹ軸方向の双方について交差する斜め方向に沿って並ぶものとされる。
【００９４】
これに対し、支持部材２２０は、Ｙ軸方向について隣り合う行をなす各ＬＥＤ２１７（各拡散レンズ２１９）の間に配されている。詳しくは、支持部材２２０は、図１５に示す上側の第１の行においてＸ軸方向に隣り合う一対のＬＥＤ２１７Ａ，２１７Ｂと、それら一対のＬＥＤ２１７Ａ，２１７Ｂに対してＹ軸方向に隣り合う第２の行（図１５に示す下側の行）に含まれるとともに上記一対のＬＥＤ２１７Ａ，２１７Ｂの中間位置に配されるＬＥＤ２１７Ｃとに挟まれた位置に配されている。支持部材２２０は、Ｘ軸方向については第２の行をなすＬＥＤ２１７Ｃとほぼ同じ位置（ＬＥＤ２１７Ａ，２１７Ｂの中間位置）に配され、Ｙ軸方向については第１の行をなすＬＥＤ２１７Ａ，２１７Ｂと、第２の行をなすＬＥＤ２１７Ｃとの中間位置に配されている。
【００９５】
一方、スリット２２８は、支持部挿通孔２１ｂの縁部において支持部２３を中心にして放射状に３本入れられており、それにより片部２２９が３つ形成されている。各スリット２２８は、支持部挿通孔２１ｂの縁部において１２０度ずつの角度間隔を空けた位置に、等角度間隔でもって配されており、それにより各片部２２９は、形状及び大きさ（表面積）がほぼ同一とされる。スリット２２８は、支持部挿通孔２１ｂの縁部において、支持部２３を取り囲んで配される３つのＬＥＤ２１７Ａ〜２１７Ｃの中間位置にそれぞれ配されるとともに、互いに隣り合うＬＥＤ２１７Ａ〜２１７Ｃの並び方向と直交する方向に沿って並行する形態とされる。従って、各スリット２２８間に形成される各片部２２９は、基端部２２９ａを支点にして表側に立ち上げられると、その外面２２９ｃがそれぞれ隣り合う各ＬＥＤ２１７側を指向する形となる。また、各スリット２２８は、その深さ寸法がほぼ同一とされるので、各片部２２９は、基端部２２９ａを支点にして立ち上げられた状態では、その外面２２９ｃが隣り合う各ＬＥＤ２１７に対して正対する形とされる。本実施形態のようにＬＥＤ２１７及び拡散レンズ２１９を千鳥状に配置したものにおいては、スリット２２８及び片部２２９を３つずつ形成し、且つその配置を上記のようなものとすることで、各片部２２９の外面２２９ｃにより各ＬＥＤ２１７からの光を効率的に反射させることが可能となる。
【００９６】
＜実施形態４＞
本発明の実施形態４を図１６によって説明する。この実施形態４では、スリット３２８及び片部３２９の設置数を１つずつとしたものを示す。なお、上記した実施形態１と同様の構造、作用及び効果について重複する説明は省略する。
【００９７】
スリット３２８は、図１６に示すように、支持部挿通孔２１ｂの縁部において渦巻き型の曲線状をなすものが１本のみ形成されており、それにより片部３２９が１つ形成されている。スリット３２８は、支持部挿通孔２１ｂ内に開口した一端から閉じた形態の他端に向けて時計回り状をなすとともに次第に支持部挿通孔２１ｂから遠ざかるものとされる。このようにスリット３２８及び片部３２９を１つずつ形成したものにおいても、支持部２３を取り囲む片部３２９が変形可能とされることで、反射シート３２１全体の伸縮を許容することができるものとされる。
【００９８】
以上説明したように本実施形態によれば、スリット３２８が渦巻き型の曲線状に形成されることで、片部３２９が支持部２３を取り囲む形で１つ形成されている。このようにすれば、支持部２３を取り囲む形の１つの片部３２９により反射シート３２１の伸縮を好適に許容することができる。
【００９９】
＜実施形態５＞
本発明の実施形態５を図１７によって説明する。この実施形態５では、スリット４２８及び片部４２９の設置数を２つずつとしたものを示す。なお、上記した実施形態１と同様の構造、作用及び効果について重複する説明は省略する。
【０１００】
スリット４２８は、図１７に示すように、支持部挿通孔２１ｂの縁部において支持部２３を挟んだ位置に２つ形成されている。各スリット４２８は、一端側がそれぞれ支持部挿通孔２１ｂ内に開口するのに対し、他端側が支持部挿通孔２１ｂから所定距離離れた位置にてそれぞれ２つずつに分岐している。言い換えると、各スリット４２８は、支持部挿通孔２１ｂ内に開口する主スリット３０と、主スリット３０から分岐する一対の分岐スリット３１とから構成され、平面に視て全体が略Ｔ字型をなしている。一対の分岐スリット３１は、主スリット３０に対して直交するとともに互いにほぼ同じ長さを有している。このスリット４２８により支持部挿通孔２１ｂの縁部には、片持ち状をなす２つの片部４２９が形成されている。各片部４２９は、各分岐スリット３１の切り込み端間を結ぶ線Ｌ（図１７では一点鎖線にて示す）に沿う基端部４２９ａを有し、この基端部４２９ａを支点にして弾性変形可能とされる。また、両片部４２９は、支持部挿通孔２１ｂの中心に関して点対称形状とされる。
【０１０１】
以上説明したように本実施形態によれば、スリット４２８は、支持部挿通孔２１ｂの縁部において支持部２３を挟んだ位置に２つ形成されるとともに、その一端側がそれぞれ支持部挿通孔２１ｂ内に開口するのに対し、他端側がそれぞれ２つずつに分岐することで、片部４２９が２つ形成されている。このようにすれば、支持部挿通孔２１ｂの縁部に形成した２つの片部４２９により反射シート４２１の伸縮を好適に許容することができる。
【０１０２】
＜実施形態６＞
本発明の実施形態６を図１８によって説明する。この実施形態６では、上記した実施形態５からスリット５２８及び片部５２９の形状を変更したものを示す。なお、上記した実施形態５と同様の構造、作用及び効果について重複する説明は省略する。
【０１０３】
スリット５２８は、図１８に示すように、支持部挿通孔２１ｂの縁部において支持部２３を挟んだ位置に２つ形成されており、一端側がそれぞれ支持部挿通孔２１ｂ内に開口するのに対し、他端側がそれぞれ折り返し状に屈曲してから２つずつに分岐している。言い換えると、各スリット４２８は、支持部挿通孔２１ｂ内に開口するとともに平面に視て略略Ｊ字型をなす主スリット５３０と、主スリット５３０から分岐する一対の分岐スリット５３１とから構成されている。主スリット５３０は、支持部挿通孔２１ｂ内に開口する短辺部と、短辺部に並行する長辺部とが両辺部と直交する直交辺部により連ねられた構成とされる。一対の分岐スリット５３１は、主スリット５３０の長辺部に対して直交するとともに互いに異なる長さを有している。このスリット５２８により支持部挿通孔２１ｂの縁部には、平面に視て鉤型をなす２つの片部５２９が形成されている。各片部５２９は、支持部挿通孔２１ｂを囲うような形の鉤型をなしており、その自由端部５２９ｂに支持部挿通孔２１ｂが形成されている。各片部５２９は、各分岐スリット５３１の切り込み端間を結ぶ線Ｌ（図１８では一点鎖線にて示す）に沿う基端部５２９ａを有し、この基端部５２９ａを支点にして弾性変形可能とされる。また、両片部５２９は、支持部挿通孔２１ｂの中心に関して点対称形状とされる。
【０１０４】
以上説明したように本実施形態によれば、スリット５２８は、支持部挿通孔２１ｂの縁部において支持部２３を挟んだ位置に２つ形成されるとともに、その一端側がそれぞれ支持部挿通孔２１ｂ内に開口するのに対し、他端側がそれぞれ折り返し状に屈曲してから２つずつに分岐することで、鉤型をなす片部５２９が２つ形成されている。このようにすれば、支持部挿通孔２１ｂの縁部に形成した２つの鉤型をなす片部５２９により反射シート５２１の伸縮を好適に許容することができる。
【０１０５】
＜実施形態７＞
本発明の実施形態７を図１９及び図２０によって説明する。この実施形態７では、上記した実施形態５からスリット６２８及び片部６２９の形状を変更したものを示す。なお、上記した実施形態５と同様の構造、作用及び効果について重複する説明は省略する。
【０１０６】
本実施形態では、上記した各実施形態のように平面に視て円形状をなす支持部挿通孔２１ｂが形成されておらず、スリット６２８を開くことで形成される空間を通して支持部２３が反射シート６２１を貫通するものとされる（図２０）。従って、本実施形態では、スリット６２８の一部が支持部挿通孔６２１ｂを兼ねていることになる。詳しくは、スリット６２８は、図１９に示すように、平面に視て互いに凹凸嵌合するような形の、凹型をなす片部６２９Ａ及び凸型をなす片部６２９Ｂを形成しており、スリット６２８のうち両片部６２９Ａ，６２９Ｂの凹凸嵌合部分ＥＰを縁取る門形部分が支持部挿通孔６２１ｂを構成している。当該反射シート６２１をシャーシ１４内に取り付けると、図２０に示すように、凸型の片部６２９Ｂのうち、少なくとも凹型の片部６２９Ａに対する凹凸嵌合部分ＥＰが捲れることで、スリット６２８における上記門形部分（支持部挿通孔６２１ｂ）に支持部２３が通されるようになっている。
【０１０７】
以上説明したように本実施形態によれば、スリット６２８は、平面に視て凹型をなす片部６２９Ａと、凸型をなす片部６２９Ｂとが互いに凹凸嵌合した形となるよう形成されており、スリット６２８のうち両片部６２９Ａ，６２９Ｂの凹凸嵌合部分ＥＰを縁取る門形部分が支持部挿通孔６２１ｂを構成している。このようにすれば、凸型をなす片部６２９Ｂのうち、凹型をなす片部６２９Ａに対して凹凸嵌合する部分ＥＰが捲れることで、支持部２３を通す支持部挿通孔６２１ｂが形成される。
【０１０８】
＜他の実施形態＞
本発明は上記記述及び図面によって説明した実施形態に限定されるものではなく、例えば次のような実施形態も本発明の技術的範囲に含まれる。
（１）上記した各実施形態では、支持部材の基部が正方形状とされたものを示したが、例えば、図２１に示すように、基部２２′を平面に視て円形状に形成することも可能である。この基部２２′は、支持部２３と同心状をなすとともに、その径寸法が支持部２３における突出基端部の径寸法よりも大きなものとされている。
【０１０９】
（２）上記した（１）以外にも基部の形状は、適宜変更可能であり、例えば長方形状・菱形状・楕円形状・三角形状・五角形状などとすることも可能である。特に、実施形態３のようにスリット及び片部を３つずつ形成したものにおいては、基部を三角形状とすることが好ましく、その場合、基部における各角部を各スリットと一致する状態で取り付けるのがより好ましい。
【０１１０】
（３）上記した実施形態１，２では、ＬＥＤ及び拡散レンズを行列状に配置したものにおいてスリット及び片部を４つずつ形成したものを示したが、スリット及び片部の数について３つまたは５つ以上とすることも可能である。その場合、複数の片部に、外面がＬＥＤを指向するものと、外面がＬＥＤを指向しないものとが混在していても構わない。
【０１１１】
（４）上記した実施形態３では、ＬＥＤ及び拡散レンズを千鳥状に配置したものにおいてスリット及び片部を３つずつ形成したものを示したが、スリット及び片部の数について１つのみまたは４つ以上とすることも可能である。その場合、複数の片部に、外面がＬＥＤを指向するものと、外面がＬＥＤを指向しないものとが混在していても構わない。
【０１１２】
（５）上記した実施形態１〜７以外にも、支持部挿通孔の縁部におけるスリット及び片部の配置は適宜変更可能である。
【０１１３】
（６）上記した実施形態１〜３では、支持部挿通孔の縁部において各スリットが等角度間隔に配されるとともに各片部がほぼ同じ大きさとされるものを示したが、各スリットが不等角度の間隔で配されるとともに各片部の大きさが異なるものとされるものも本発明に含まれる。
【０１１４】
（７）上記した実施形態１〜３，５〜７では、スリットが直線状をなすものを示したが、スリットが曲線状（湾曲形状）とされるものも本発明に含まれる。
【０１１５】
（８）上記した実施形態１，２，４〜７では、支持部材が行列状に配されたＬＥＤ（拡散レンズ）の行及び列から外れた位置に配されるものを示したが、支持部材がＬＥＤに対して行方向または列方向について並列して配されるものも本発明に含まれる。さらには、支持部材がＬＥＤに対して行方向及び列方向の双方について並列して配されるものも本発明に含まれる。
【０１１６】
（９）上記した各実施形態以外にも、支持部材の設置数及びシャーシの底板（光学部材）の面内における配置は適宜変更可能である。
【０１１７】
（１０）上記した各実施形態では、支持部が円錐状をなすものを示したが、それ以外にも角錐状（三角錐、四角錐など）や平面に視て楕円をなす円錐状などとすることも可能である。それ以外にも、支持部を円柱状や角柱状としたものも本発明に含まれる。このように支持部の形状を変更した場合には、それに応じて支持部挿通孔の形状及び片部の先端部の形状を適宜変更すればよい。
【０１１８】
（１１）上記した各実施形態では、Ｘ軸方向及びＹ軸方向に沿って真っ直ぐな状態の拡散板に対して支持部が当接されるような設定のものを示したが、上記したように真っ直ぐな状態の拡散板に対して支持部が当接されない設定（具体的には、支持部の突出先端部が拡散板における裏側の面よりもＬＥＤ寄りに配される構成）としたものも本発明に含まれる。このような構成によれば、例えばバックライト装置内の熱環境の変化によって拡散板が熱膨張した場合でも、拡散板は、支持部との間に保有されたクリアランスの範囲内でＬＥＤ側に反るように変形するのが許容される。
【０１１９】
（１２）上記した各実施形態では、基部が支持部の突出基端部よりも平面に視て外側に張り出す形態とされるものを示したが、基部が支持部の基端部とほぼ同じ大きさとされるものも本発明に含まれる。この場合、片部は、基部に乗り上げることがなく、ＬＥＤ基板に沿って並行する形で配される。
【０１２０】
（１３）上記した各実施形態では、支持部材が固定部を有するものを示したが、固定部を省略して基部をＬＥＤ基板または底板に対して直接接着層などを介して固着するようにしてもよい。
【０１２１】
（１４）上記した各実施形態では、支持部材がシャーシの底板に取り付けられるものを示したが、支持部材をＬＥＤ基板に取り付けるようにしたものも本発明に含まれる。また、支持部のみをＬＥＤ基板に一体的に設けるようにしても構わない。
【０１２２】
（１５）上記した各実施形態以外にも、支持部をシャーシに一体的に設けるようにしたものも本発明に含まれる。
【０１２３】
（１６）上記した各実施形態では、ＬＥＤ基板の表側の面に白色を呈する反射層を形成したものを示したが、ＬＥＤ基板の表側に反射シートとは別の基板用反射シートを重ねて配置し、反射シートとＬＥＤ基板との間に基板用反射シートを介在させるようにしたものも本発明に含まれる。このようにすれば、反射シートの開口部分に進入した光を基板用反射シートにより効率的に表側へ向けて反射させることができ、光の利用効率に一層優れる。
【０１２４】
（１７）上記した各実施形態では、反射シート、ＬＥＤ基板及び支持部材の表面がそれぞれ白色を呈するものを示したが、白色以外にも乳白色や銀色を呈するようにすることも可能である。また、反射シート、ＬＥＤ基板及び支持部材の表面の色を全て同じに統一する必要はなく、各部材毎に異ならせるなどすることも可能である。
【０１２５】
（１８）上記した各実施形態では、青色を単色発光するＬＥＤチップを内蔵し、蛍光体によって白色光を発光するタイプのＬＥＤを用いた場合を示したが、紫外光を単色発光するＬＥＤチップを内蔵し、蛍光体によって白色光を発光するタイプのＬＥＤを用いたものも本発明に含まれる。
【０１２６】
（１９）上記した各実施形態では、青色を単色発光するＬＥＤチップを内蔵し、蛍光体によって白色光を発光するタイプのＬＥＤを用いた場合を示したが、Ｒ，Ｇ，Ｂをそれぞれ単色発光する３種類のＬＥＤチップを内蔵したタイプのＬＥＤを用いたものも本発明に含まれる。それ以外にも、Ｃ（シアン），Ｍ（マゼンタ），Ｙ（イエロー）をそれぞれ単色発光する３種類のＬＥＤチップを内蔵したタイプのＬＥＤを用いたものも本発明に含まれる。
【０１２７】
（２０）上記した各実施形態では、白色光を発光するＬＥＤを用いたものを示したが、赤色発光するＬＥＤと、青色発光するＬＥＤと、緑色発光するＬＥＤとを適宜に組み合わせて用いるようにしてもよい。
【０１２８】
（２１）上記した各実施形態では、ＬＥＤからの光を拡散させる拡散レンズを用いたものを示したが、拡散レンズを省略することも可能である。具体的には、図２２に示すように、反射シート２１′にＬＥＤ１７の大きさに適合したＬＥＤ挿通孔３２を形成し、そのＬＥＤ挿通孔３２にＬＥＤ１７を通すようにすればよい。図２２では、ＬＥＤ挿通孔３２が平面に視て四角形状をなすものを示したが、ＬＥＤ挿通孔をＬＥＤ１７の外形に倣う円形状などとすることも勿論可能である。
【０１２９】
（２２）上記した各実施形態では、光源としてＬＥＤを用いたものを例示したが、ＬＥＤ以外の点状光源を用いたものも本発明に含まれる。
【０１３０】
（２３）上記した各実施形態では、光源として点状光源であるＬＥＤを用いたものを例示したが、冷陰極管や熱陰極管などの線状光源を用いることも可能である。その場合、ＬＥＤ基板が省略されるため、支持部材における基部がシャーシの底板に直接取り付けられるものとされる。
【０１３１】
（２４）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１３２】
（２５）上記した各実施形態では、表示パネルとして液晶パネルを用いた液晶表示装置を例示したが、他の種類の表示パネルを用いた表示装置にも本発明は適用可能である。
【０１３３】
（２６）上記した各実施形態では、チューナーを備えたテレビ受信装置を例示したが、チューナーを備えない表示装置にも本発明は適用可能である。
【符号の説明】
【０１３４】
１０…液晶表示装置（表示装置）、１１…液晶パネル（表示パネル）、１２…バックライト装置（照明装置）、１４…シャーシ、１４ａ…底板、１４ｅ…取付孔、１５…光学部材、１７，２１７…ＬＥＤ（光源）、１８…ＬＥＤ基板（光源基板）、１９，２１９…拡散レンズ、２１，３２１，４２１，５２１，６２１…反射シート（反射部材）、２１ａ…レンズ挿通孔（光源挿通孔）、２１ｂ…支持部挿通孔、２２…基部、２３…支持部、２４…固定部、２８，１２８，２２８，３２８，４２８，５２８，６２８…スリット、２９，１２９，２２９，３２９，４２９，５２９…片部、２９ｃ，１２９ｃ，２２９ｃ…外面、６２９Ａ…凹型をなす片部、６２９Ｂ…凸型をなす片部、ＥＰ…嵌合部分、ＴＶ…テレビ受信装置
【図１】
2011080979.tif 000003
【図２】
2011080979.tif 000004
【図３】
2011080979.tif 000005
【図４】
2011080979.tif 000006
【図５】
2011080979.tif 000007
【図６】
2011080979.tif 000008
【図７】
2011080979.tif 000009
【図８】
2011080979.tif 000010
【図９】
2011080979.tif 000011
【図１０】
2011080979.tif 000012
【図１１】
2011080979.tif 000013
【図１２】
2011080979.tif 000014
【図１３】
2011080979.tif 000015
【図１４】
2011080979.tif 000016
【図１５】
2011080979.tif 000017
【図１６】
2011080979.tif 000018
【図１７】
2011080979.tif 000019
【図１８】
2011080979.tif 000020
【図１９】
2011080979.tif 000021
【図２０】
2011080979.tif 000022
【図２１】
2011080979.tif 000023
【図２２】
2011080979.tif 000024
【国際調査報告】
2011080979.tif 000025
2011080979.tif 000026